(57)【特許請求の範囲】
【請求項１】
理容美容の二丁鋏において、断面がコ字形の立方体であって前記立方体のコ字形の内側底面の中央部に長手方向の凹溝部を設け、前記凹溝部の長さに略等しい長さを有する磁石板を、前記凹溝部に嵌合させて、断面がE字形を成形し、前記立方体の内側面と磁石板との間に生ずる二つの間隙部に二本の鋏本体の柄が挿入され、前記コ字形の先端部を内側に折り曲げて突起部を形成する鋏の着脱補助具。
【発明の詳細な説明】
【０００１】
【発明の属する技術分野】
本発明は二丁の鋏を脱着自在に装着する事出来、更に単独で使用出来る鋏の着脱止め具に関するものである。
【０００２】
【従来の技術】
従来の理容美容とわずカッテングに際し、一丁の鋏を用いてカットを行っているのが一般的な場合で技術的向上において、片手に二丁の鋏を重ね持ってカットを行う技法が場合によって必要不可欠である
【０００３】
【発明が解決しようとする課題】
従来の技術において片手に二丁の鋏を重ねて使用する場合には鋏の操作に熟練を要するので、技術的に高齢の技術者又若い見習い者には二丁の鋏を扱うには、作業やカッテングの技術操作において困難を有し、技術者はきずかいと使用上の疲労感が多く身体的、精神的に負担に成りうる欠点があった。
【０００４】
【課題を解決するための手段】
二丁鋏において、断面がコ字形の立方体であって、前記立方体のコ字形の内側底面の中央部に長手方向の凹溝部を設け、前記凹溝部の長さに略等しい長さを有する磁石板を、前記凹溝部に嵌合させて、E字形を成形し、前記立方体の内側面と磁石板との間に生ずる二つの間隙部に、二本の鋏本体の柄が挿入され、前記コ宇形の先端部を内側に折り曲げて突起部を形成する。
【０００５】
【発明の実施の形態】
発明の実施の形態を実施例にもとずき図面を参照して説明する。
図1に示すの様に二丁の鋏本体Aと本体Bを重ね合わせた時、E字形着脱止め具によって、鋏本体Aと本体Bの間に適宜の隙間を形成させ、磁石板着脱止め具により、共通なる部位の支軸が支点と成り、鋏が固定し連結され、各動体指掛け孔と静体指掛け孔はそれぞれ重ね合わされ、E字形着脱止め具により固定し連結される。
【０００６】
図1示す様にE字形着脱止め具を装着する事により、鋏本体Aと本体Bは共通の連動性のある理容美容鋏と成り、E宇形着脱止め具によって重ね合わす事で、鋏と鋏との適宜の間隔が肉厚を増し固定し一体型にて安定する。
【０００７】
図2正面図の様に鋏本体Aと本体Bから成る、E字形着脱止め具と磁石板着脱止め具を装着した支軸によって形成される、更に固定し一体型に連結し適宜の間隔にE字形着脱止め具を装着し、カット方法によって使い分けて使用する。
【０００８】
理容美容鋏の5インチ〜7インチの支軸と支軸のとの隙間に位置しる磁石板着脱止め具の正面は1ｍｍ〜30ｍｍ位で側面は1ｃｍ〜5ｃｍ位とし、E字形着脱止め具の正面は1ｃｍ〜5ｃｍ位で側面は1ｃｍ〜5ｃｍ位で形成加工される、又鋏との兼ね合い、形成加工状態、使用用途、技施術的側面により思考材質は異なり形成加工状態により着脱止め具の形態は限定されるものではない。
【０００９】
例として、薄いステンレス板、プラスチック板、カキョウポリ、樹脂、磁石板、バネ板、スプリング板、など、軽量で技術的使いよく色彩豊富にて楽しく仕事に従事できる様に配慮し、磁石板着脱止め具又E形着脱止め具の適宜の間隔の調整に際して、長さ、材質、色彩、素材は鋏との兼ね合い又技術背景を考慮し必要に応じ操作性を損なわない様な材質に配慮される。
【００１０】
図3は適宜の間隔を形成させる前記のE宇形着脱止め具は断面がE宇形からなる(イ)(ロ)(ハ)の構造は、コ字形外枠(イ) (ロ)は外側壁の各コ字形外枠、先端部の内側に突起的、折曲部を設け、柄部を支え柄部が外れない構造で、更に(ハ)のE字形着脱止め具は、コ字形の内側底面の中央部に凹溝部を設け、凹溝部の長さに略等しい長さを有する磁石板を、コ字形の底面凹溝部に結合させて、E字形を成形し、外側面と磁石板との間に生ずる二つの間隙部に、二本の鋏本体の柄が挿入され、E字形着脱止め具は柄部の形状に沿った形態に配慮され、更に形態に沿った材質の活用が望ましい。
【００１１】
図5の静体用固定一体型着脱止め具は、磁石板着脱止め具とE字形着脱止め具を共通に連結し、連動性の保持出来る構造の形態様式は、静体用固定一体型着脱止め具によって、固定し一体型と成り、連結し連動される。
【００１２】
【考案の効果】
上記ように構成された本発明によれば、鋏の本体Aと本体Bとのすき間に最適な間隔を形成されるための着脱止め具を二丁の鋏の共通の支軸が連結する為の、各鋏の指掛け孔(4)、(5)を左右それぞれに重ね合わせ、指掛け孔をそれぞれ開閉操作出来るように、E字形着脱止め具によって固定し一体型に成る、鋏の着脱止め具を提供しるものである
【００１３】
上記目的を達成するためには、一丁の鋏を二丁の鋏に、技術的、必要な時に鋏の着脱止め具を装着する事によって操作しやすく、カッテングの技術的要素の、カットの動き、毛量を軽く、杭感、すき鋏の感覚の如く収まりやすく技術者においても技術的向上の点からも必要不可欠である。
【００１４】
上記のように鋏に連結したE字形着脱止め具と、支軸の磁石板着脱止め具との装着によって、鋏の本体(A)と本体(B)とのズレや違和感も無く、動体指掛け孔と静体指掛け孔の連動性は、連結された指掛け部によって、固定し一体化されているので、技術的に指先と各指掛け孔との違和感を気にする事も無く、二丁の鋏を連結し開閉操作が容易な着脱止め具である。
【００１５】
したがってそれ程鋏の操作は熟練を要する事無く、技術者又若い見習い者でも操作が可能な鋏の着脱止め具による前記の課題を解決したものである。
【００１６】
技術的に二丁鋏による、すき鋏の如く鋏を頭皮に直角に構え、頭皮と鋏の間隔を保ち鋏を立てる様な手法で、突き梳きをする技法のセニングカットは今世代に求められているカット方法でカットの荒さ、動き、毛量を軽く、杭感、すき鋏の感覚の如く収まりやすくカット面が平面ではない斬新な荒々しさが演出できる。
【００１７】
二丁鋏によるカット法は時間短縮出来る為、技術的の疲労を軽減できるとともにE字形着脱止め具(8)は即座に、二丁鋏から一丁鋏にと着脱止め具を外す事ができ脱着白在にて、必要に応じ即挫に、着脱止め具を外し研磨作業を行う事ができる
【図面の簡単な説明】
【図1】鋏本体Aと本体Bの着脱止め具を装着状態で示す斜視図
【図2】連結状態を表す正面図
【図3】E字形を成形する着脱止め具
【図4】連結状態を表す背面図と磁石板着脱止め具の拡大断面図
【図5】磁石板着脱止め具と一体型連結着脱止め具の背面図介
【符合の説明】
Ｍ            鋏
1            静体
2            動体
3            支軸
4            動体指掛け孔
5            静体指掛け孔
6            一体型連結着脱止め具
7            磁石板着脱止め具
8            E字形着脱止め具
9            本体A
10            本体B
11            柄部
イ            コ字形外枠
ロ            コ字形外枠
ハ            E字形磁石板巾央凹構部
X            柄が差し込まれる間隙部
Y            柄が差し込まれる間隙部
【図１】
0003665902.tif 000002
【図２】
0003665902.tif 000003
【図３】
0003665902.tif 000004
【図４】
0003665902.tif 000005
【図５】
0003665902.tif 000006